(57)【要約】【課題】引手溝を上端部から下端部まで連続して設けた引戸において、手指を掛けるための引手溝の深さを十分確保すると同時に、引戸の上端部や下端部における戸車やランナーの設置を可能とし、さらに手指挟みを防止する。【解決手段】板材の表面及び裏面の少なくとも１つにおける側面寄りの部位に、開閉時に手指を掛けるための引手溝１０が板材の上端部１から下端部２まで連続して設けられた引戸１００であって、引手溝１０の深さを板材の上端部１から下端部２にかけて変化させ、かつ上端部１及び下端部２における引手溝１０の深さを、上端部１及び下端部２以外の部分における引手溝１０の深さよりも浅くなるように形成した。【選択図】図１
2008150925.tif 000002
【特許請求の範囲】
【請求項１】
板材の表面及び裏面の少なくとも１つにおける側面寄りの部位に、開閉時に手指を掛けるための引手溝が板材の上端部から下端部まで連続して設けられた引戸であって、
前記引手溝の深さを板材の上端部から下端部にかけて変化させ、かつ前記上端部及び前記下端部における前記引手溝の深さを、前記上端部及び前記下端部以外の部分における前記引手溝の深さよりも浅くなるように形成したことを特徴とする引戸。
【請求項２】
前記引手溝の深さを、前記上端部及び前記下端部から上下方向の中央部に向けて徐々に深くなるように形成したことを特徴とする請求項１に記載の引戸。
【請求項３】
前記引手溝の水平方向の中央部を突出させて、前記引手溝を断面略Ｍ字状に形成したことを特徴とする請求項１又は請求項２に記載の引戸。
【請求項４】
前記引手溝において、左側が深く右側が浅い左傾斜部と右側が深く左側が浅い右傾斜部とを、上下方向に交互に形成したことを特徴とする請求項１に記載の引戸。
【発明の詳細な説明】
【技術分野】
【０００１】
本発明は、住宅等の建築物の建具として用いられる引戸に関するものである。より詳しくは、開閉時に手指を掛けるための引手溝が設けられた引戸に関するものである。
【背景技術】
【０００２】
従来、襖や障子のような純和風の引戸のほか、新しいデザインの和風引戸や、洋風のドアと違和感の無いデザインの洋風引戸が建具として用いられている。
これらの新しいタイプの引戸は、デザインに凝ったものが多いため重く、襖や障子のような摺動による開閉では抵抗が大きすぎる。そのため、戸車を用いるのが一般的である。そして、例えば指先が２〜３本入る程度の小型の引手を取り付けて開閉するようになっている。
【０００３】
しかし、たとえ戸車を用いたとしても、引戸が重過ぎると小型の引手では開閉が困難な場合がある。また、小さな子供等が開閉する場合に引手の位置が高すぎたり、逆に身長の高い人の場合に引手の位置が低すぎたりするという問題もある。
さらに、引戸を開ける際には、引戸と壁、あるいは複数枚の戸が重なるため、引戸と壁、あるいは引戸と引戸の間に手や指が挟まれて怪我をするという問題点もある。
【０００４】
これに対して、特許文献１には、引戸の両側部の上端部から下端部にわたり引手用の溝を設け、身長の高低にかかわらず手指を掛けやすくした引戸に関する発明が記載されている。また、特許文献２には、引戸の上下方向に設けた引手用の溝に凹凸面を形成して手指を掛けやすくした引戸に関する発明が記載されている。
また、特許文献３には、引戸を開けるときに引戸本体内に引っ込むことで、手指が挟まれるのを防止するようにした引手に関する発明が記載されている。また、特許文献４には、引手の中央部分を盛り上げて形成することで、手指が挟まれるのを防止するようにした引手に関する発明が記載されている。
【特許文献１】特開平９−５３３７０号公報
【特許文献２】特許第２９８７５０２号公報
【特許文献３】特許第３６３５３１２号公報
【特許文献４】実用新案登録第３０７１４６３号公報
【発明の開示】
【発明が解決しようとする課題】
【０００５】
しかし、特許文献１に記載された引戸のような、上下方向に引手用の溝を設けた引戸においては、以下のような問題点があった。図１３は、このような従来例に係る引戸を示す斜視図である。
従来例に係る引戸５００は、基材４の両側部に縦框５，５が取り付けられて形成されている。そして、縦框５，５の表裏面には、上端部から下端部まで引手溝５０が連続して設けられている。
【０００６】
引戸５００において、引手溝５０が浅い場合には、手指が掛かりにくく、思うように力を加えることができない。また、爪の長い女性の場合には、特に手指が掛かりにくい。
反対に、引手溝５０が深い場合には、手指は掛けやすくなるが、薄い引戸では反対側に貫通してしまう恐れがあり、また、以下に示すように引戸の下端部の戸車や、上端部のランナーの取り付けが困難となる。
【０００７】
図１４は、引戸５００の底面図であり、図１５は、引戸５００の平面図である。
図１４に示すように、引戸５００の下端部２の両側面寄りには、戸車７，７が回動自在に取り付けられて、引戸の移動をスムーズに行えるようになっている。この戸車７の取り付けにあたっては、引戸５００下面に箱状の凹部を設けて戸車収容箱７１を埋め込み、戸車７を戸車収容箱７１の内部に配置するようになっている。また、戸車７を施工後に位置調整するための調整機構７２が設けられ、その調整ネジを引戸の木端から操作するようになっている。また、図１５に示すように、引戸５００の上端部１の両側面寄りには、開閉時に鴨居に設けられた溝の内部を移動するランナー６，６が取り付けられている。
【０００８】
ここで、引手溝５０が深い場合には、図１４に示すように、引戸５００の下端部２における戸車収容箱７１や調整機構７２の配置箇所に、引手溝５０が侵入するようになってしまい、戸車７の取り付けに支障が生じてしまう。同様に、図１５に示すように、上端部におけるランナー６の取り付け位置が内側に制限されたり、ランナー６に調整機構６１を付けることができなくなったりしてしまう。
さらに、引戸５００の上端部１や下端部２まで溝が形成されていると、この部分の鴨居や敷居の溝側面が見えてしまい見苦しく、埃も溜まりやすい。
【０００９】
これに対して、特許文献２に記載された引戸のように、引手溝を引戸の上端部や下端部に設けないようにすることも考えられるが、上下端付近で線が途切れてしまい、デザイン上中途半端となってしまう。また、上端部や下端部に溝がないと、引手溝が完全な凹部となるため、後からラッピングを行う場合に、ラッピングが著しく困難となる。
【００１０】
一方、特許文献３に記載された手指挟み防止の引手は、機械式に引手を引っ込ませるものであり、引戸の上端部から下端部まで連続して形成された引戸に適用することは困難である。また、特許文献４に記載された手指挟み防止の引手を、引戸の上端部から下端部まで連続して形成された引戸に適用した場合には、上記同様に戸板の上端部や下端部において、戸車やランナーの取り付けに支障が生じてしまう。
【００１１】
そこで本発明は、上記従来の課題を解決するためのものであり、引手溝を上端部から下端部まで連続して設けた引戸において、手指を掛けるための引手溝の深さを十分確保すると同時に、引戸の上端部や下端部における戸車やランナーの設置を可能とし、さらに手指挟みを防止した引戸を提供するものである。
【課題を解決するための手段】
【００１２】
上記従来の課題を解決するために、請求項１に係る発明の引戸は、板材の表面及び裏面の少なくとも１つにおける側面寄りの部位に、開閉時に手指を掛けるための引手溝（１０）が板材の上端部（１）から下端部（２）まで連続して設けられた引戸（１００）であって、前記引手溝（１０）の深さを板材の上端部（１）から下端部（２）にかけて変化させ、かつ前記上端部（１）及び前記下端部（２）における前記引手溝（１０）の深さを、前記上端部（１）及び前記下端部（２）以外の部分における前記引手溝（１０）の深さよりも浅くなるように形成したことを特徴とする。
【００１３】
また、請求項２に係る発明は、請求項１に記載の発明において、前記引手溝（１０）の深さを、前記上端部（１）及び前記下端部（２）から上下方向の中央部（３）に向けて徐々に深くなるように形成したことを特徴とする。
【００１４】
また、請求項３に係る発明は、請求項１又は請求項２に記載の発明において、前記引手溝（２０）の水平方向の中央部（２１）を突出させて、前記引手溝（２０）を断面略Ｍ字状に形成したことを特徴とする。
【００１５】
また、請求項４に係る発明は、請求項１に記載の発明において、前記引手溝（３０）において、左側が深く右側が浅い左傾斜部（３１）と右側が深く左側が浅い右傾斜部（３２）とを、上下方向に交互に形成したことを特徴とする。
【００１６】
なお、括弧内の記号は、発明を実施するための最良の形態および図面に記載された対応要素または対応事項を示す。
【発明の効果】
【００１７】
請求項１に記載の発明によれば、板材の表面及び裏面の少なくとも１つにおける側面寄りの部位に引手溝を設けたので、引手溝に手指を掛けて引戸を開閉することができる。
また、引手溝を板材の上端部から下端部まで連続して設けたので、身長の高低にかかわらず、引戸に的確に手指を掛けることができる。また、引戸の上下端付近で線が途切れることがないのでデザイン的に優れている。また、後からラッピングを容易に行うことができる。
また、引戸の上端部及び下端部における引手溝の深さを、上端部及び下端部以外の部分における引手溝の深さよりも浅くなるように形成したので、上端部や下端部においては溝を浅くして戸車やランナーの設置を可能とするとともに、鴨居や敷居の溝側面が見えにくく見栄えがよく、埃も溜まりにくい。また、それ以外の部分では溝を深くして引手としての機能を十分に発揮させることができる。
【００１８】
また、請求項２に記載の発明によれば、請求項１に記載の発明の作用効果に加えて、引手溝の深さを上端部及び下端部から上下方向の中央部に向けて徐々に深くなるように形成したので、上端部と下端部の溝を浅くしながら、手指を頻繁に掛ける部分である中央部の溝の深さを最も深くするようにして、引手としての機能に応じた溝の深さを設定することができる。
【００１９】
また、請求項３に記載の発明によれば、請求項１又は請求項２に記載の発明の作用効果に加えて、引手溝の水平方向の中央部を突出させて、引手溝を断面略Ｍ字状に形成したので、引戸を開ける最終段階で、手指が引手溝の傾斜に沿って自動的に排出されて、引戸と壁、あるいは引戸と引戸の間に手や指が挟まれることがない。
【００２０】
また、請求項４に記載の発明によれば、請求項１に記載の発明の作用効果に加えて、引手溝において、左側が深く右側が浅い左傾斜部と右側が深く左側が浅い右傾斜部とを、上下方向に交互に形成したので、引戸を左側に移動させる場合には左傾斜部に手指を掛けて移動し、引戸を右側に移動させる場合には右傾斜部に手指を掛けて移動することができる。
また、引戸を開ける最終段階で、手指が引手溝の傾斜に沿って自動的に排出されて、引戸と壁、あるいは引戸と引戸の間に手や指が挟まれることがない。
【発明を実施するための最良の形態】
【００２１】
次に、図１乃至図５を参照して、本発明の実施形態１に係る引戸について説明する。
図１は、実施形態１に係る引戸１００を示す部分斜視図である。引戸１００は、基材４の両側部に縦框５，５が取り付けられて形成されている。なお図１には片側の縦框５のみを示したが、反対側にも同様に縦框５が取り付けられている。
縦框５の表面及び裏面には、引手溝１０，１０が引戸１００の上端部１から下端部２まで連続して設けられている。そして、引戸１００の開閉時には、引手溝１０，１０に手指を掛けて開閉するようになっており、身長の高低にかかわらず引手に手指を掛けることができるようになっている。
また、引戸１００の上面には、開閉時に鴨居に設けられた溝の内部を移動するランナー６が取り付けられている。さらに、引戸１００の下面には、戸車７が回動自在に取り付けられており、開閉時に敷居に設けられたレールの上を移動するようになっている。
【００２２】
次に、図２及び図３を参照して、引手溝１０の形状について説明する。図２は、図１のＸ−Ｘ断面図であり、図３は、図１の、（ａ）Ａ方向の平面図、（ｂ）Ｂ−Ｂ断面図、（ｃ）Ｃ−Ｃ断面図、（ｄ）Ｄ−Ｄ断面図、（ｅ）Ｅ方向の底面図、である。なお、図３については、縦框５の部分のみを示している。
図２及び図３に示すように、引手溝１０は、上端部１及び下端部２から上下方向の中央部３に向けて徐々に深くなるように形成されている。すなわち、引手溝１０の深さは、上端部１から中央部３に向けて徐々に深くなり、中央部３から下端部２に向けて徐々に浅くなっている。そして、上端部１及び下端部２における深さが最も浅く、中央部３における深さが最も深くなっている。また、引手溝１０の横断面形状は矩形状の凹部となっている。
なお、上端部１における引手溝１０の深さと、下端部２における引手溝１０の深さは本実施形態のように同一であってもよいし、異なっていてもよい。さらに、上端部１及び下端部２から中央部３に向けての深さの変化は、本実施形態のように直線的であってもよいし、曲線的であってもよい。
【００２３】
引手溝１０の深さは、例えば上端部１及び下端部２において１〜２ｍｍ程度であるが、以下のように定めるとよい。
図４は、引戸１００の底面図であり、図５は、引戸１００の平面図である。
図４に示すように、引戸１００の下端部２の両側面寄りには、戸車７，７が取り付けられている。この戸車７の取り付けにあたっては、引戸１００下面に箱状の凹部を設けて戸車収容箱７１を埋め込み、戸車７を戸車収容箱７１の内部に回動自在に配置するようになっている。また、戸車７を施工後に位置調整するための調整機構７２が設けられ、その調整ネジを引戸１００の木端から操作するようになっている。
ここで、引手溝１０の深さは、引戸１００の下端部２における戸車収容箱７１や調整機構７２の配置箇所に侵入することのないような深さになっている。すなわち、引手溝１０を形成した残りの引戸１００の厚さが、戸車収容箱７１及び調整機構７２の設置幅よりも広くなるように形成されている。これにより、戸車７の取り付けに支障が生じないようになっている。
【００２４】
また、図５に示すように、引戸１００の上端部１の両側面寄りには、ランナー６，６が取り付けられている。ランナー６についても、戸車７と同様に、施工後に位置調整するための調整機構６１が設けられ、その調整ネジを引戸１００の木端から操作するようになっている。
ここで、引手溝１０の深さは、引戸１００の上端部１におけるランナー６や調整機構６１の配置箇所に侵入することのないような深さになっている。すなわち、引手溝１０を形成した残りの引戸１００の厚さが、ランナー６及び調整機構６１の設置幅よりも広くなるように形成されている。これにより、ランナー６の取り付けに支障が生じないようになっている。
【００２５】
上端部１及び下端部２における引手溝１０は、正面から見たときに溝あるいは線として認識される最低限度のものであればよく、引手としての機能は要求されない。そして、最低限度の溝とすることで、鴨居や敷居の溝側面が見えにくく、埃も溜まりにくい。
ただし、上端部１及び下端部２に溝が全く無い場合には、上下端付近で線が途切れてしまい、デザイン上中途半端となってしまい、また、引手溝が完全な凹部となるため、後からラッピングを行う場合に、ラッピングが著しく困難となる。従って、最低限度の溝が必要となるものである。
【００２６】
一方、中央部３における引手溝１０の深さは、例えば５〜１５ｍｍ程度であるが、引戸１００の厚さによって異なる。
中央部３は、引戸１００を開閉する際に、最も使用される可能性の高い部分であるため、手指を入れやすいように、引手溝１０の深さを深くすることが好ましい。ただし、表裏両面から引手溝１０，１０を形成することを考慮すれば、引戸１００の板厚の２分の１以下となる。
このように、上端部１及び下端部２から中央部３に向けて、引手溝１０の深さが徐々に深くなっているので、引手として使用されることの多い部分ほど溝が深く形成されている。
【００２７】
以上説明したように、実施形態１に係る引戸１００によれば、引戸１００の縦框５の表面及び裏面に引手溝１０を設けたので、引手溝１０に手指を掛けて引戸１００を開閉することができる。
また、引手溝１０を縦框５の上端部１から下端部２まで連続して設けたので、身長の高低にかかわらず、引戸１００に的確に手指を掛けることができる。また、引戸１００の上下端付近で線が途切れることがないのでデザイン的に優れている。また、後からラッピングを容易に行うことができる。
【００２８】
また、引戸１００の上端部１及び下端部２における引手溝１０の深さを、上端部１及び下端部２以外の部分における引手溝１０の深さよりも浅くなるように形成したので、上端部１や下端部２においては溝を浅くして戸車７やランナー６の設置を可能とするとともに、鴨居や敷居の溝側面が見えにくく見栄えがよく、埃も溜まりにくい。また、それ以外の部分では溝を深くして引手としての機能を十分に発揮させることができる。
【００２９】
また、引手溝１０の深さを上端部１及び下端部２から上下方向の中央部３に向けて徐々に深くなるように形成したので、上端部１と下端部２の溝を浅くしながら、手指を頻繁に掛ける部分である中央部３の溝の深さを最も深くするようにして、引手としての機能に応じた溝の深さを設定することができる。
【００３０】
次に、図６乃至図９を参照して、本発明の実施形態２に係る引戸について説明する。
図６は、実施形態２に係る引戸２００を示す部分斜視図である。引戸２００は、実施形態１に係る引戸１００とほぼ同様の構成であるが、縦框５に形成された引手溝の形状が異なる。なお、実施形態１に係る引戸１００と同一の部分については、同一の符号を付し説明を省略する。
【００３１】
引戸２００の縦框５の表面及び裏面には、引手溝２０，２０が引戸２００の上端部１から下端部２まで連続して設けられている。そして、引戸２００の開閉時には、引手溝２０，２０に手指を掛けて開閉するようになっており、身長の高低にかかわらず引手に手指を掛けることができるようになっている。
【００３２】
次に、図７及び図８を参照して、引手溝２０の形状について説明する。図７は、図６の、（ｙ1）Ｙ1−Ｙ1断面図、（ｙ2）Ｙ2−Ｙ2断面図、（ｙ3）Ｙ3−Ｙ3断面図、である。また、図８は、図６の、（ｆ）Ｆ方向の平面図、（ｇ）Ｇ−Ｇ断面図、（ｈ）Ｈ−Ｈ断面図、（ｉ）Ｉ−Ｉ断面図、（ｊ）Ｊ方向の底面図、である。なお、図８については、縦框５の部分のみを示している。
図７及び図８に示すように、引手溝２０は、上端部１及び下端部２から上下方向の中央部３に向けて徐々に深くなるように形成されている。すなわち、引手溝２０の深さは、上端部１から中央部３に向けて徐々に深くなり、中央部３から下端部２に向けて徐々に浅くなっている。そして、上端部１及び下端部２における深さが最も浅く、中央部３における深さが最も深くなっている。なお、上端部１及び下端部２から中央部３に向けてしばらくの間は平坦面となっている。
【００３３】
引手溝２０の横断面形状は、略Ｍ字状となっている。すなわち、引手溝２０の水平方向の中央部２１は、溝の開口方向に突出しており、上端部１から下端部２までの突条となっている。この中央部２１の突出高さは、引戸２００の表裏面の高さと略同一であり、上端部１から下端部２まで同一の高さとなっている。
また、図８に示すように、中央部２１の突条により形成される断面略Ｍ字状の溝における山の傾斜は、上端部１及び下端部２に近いほど緩やかで、中央部３に向けて急になっている。
【００３４】
図９は、実施形態２における引戸２００の開閉時の状態を示す断面図である。図９を参照して、引戸２００の開閉時の、手指挟み防止作用について説明する。なお図９では、引戸２００のうち縦框５の部分のみを示しており、また、符号８は引戸２００が収納される壁を示している。
引戸２００を壁８側に移動させるときには、手指を縦框５に設けられた引手溝２０に掛けて移動させる。このとき手指により、引手溝２０の中の、移動させたい方向の壁面２２に力を加えながら移動させる。移動の最終段階においては、引手溝２０も壁８の中に収納されるが、このとき図に示すように引手溝２０に掛けた手指は、引手溝２０に形成された傾斜に沿って、壁８とは反対側に押され、引手溝２０から排出されてしまう。これにより、手指が挟まれるのを防止することができる。
なお、このような手指の排出効果は、引手溝２０の山の傾斜が緩やかな上端部１及び下端部２付近では小さく、山の傾斜が急な中央部３付近で大きくなっており、引手として使用する可能性の高い部分（手指挟みの危険が高い部分）ほど排出効果が高くなっている。
【００３５】
以上説明したように、実施形態２に係る引戸２００によれば、引手溝２０の水平方向の中央部２１を突出させて、引手溝２０を断面略Ｍ字状に形成したので、引戸２００を開ける最終段階で、手指が引手溝２０の傾斜に沿って自動的に排出されて、引戸２００と壁８の間に手や指が挟まれることがない。なお、引戸が壁に収納されるのではなく、引戸と引戸が重なり合う場合も同様である。
【００３６】
次に、図１０乃至図１２を参照して、本発明の実施形態３に係る引戸について説明する。
図１０は、実施形態３に係る引戸３００を示す部分斜視図である。引戸３００は、実施形態１に係る引戸１００とほぼ同様の構成であるが、縦框５に形成された引手溝の形状が異なる。なお、実施形態１に係る引戸１００と同一の部分については、同一の符号を付し説明を省略する。
【００３７】
引戸３００の縦框５の表面及び裏面には、引手溝３０，３０が引戸３００の上端部１から下端部２まで連続して設けられている。そして、引戸３００の開閉時には、引手溝３０，３０に手指を掛けて開閉するようになっており、身長の高低にかかわらず引手に手指を掛けることができるようになっている。
【００３８】
次に、図１１及び図１２を参照して、引手溝３０の形状について説明する。図１１は、図１０の、（ｚ1）Ｚ1−Ｚ1断面図、（ｚ2）Ｚ2−Ｚ2断面図、（ｚ3）Ｚ3−Ｚ3断面図、である。また、図１２は、図１０の、（ｋ）Ｋ方向の平面図、（ｌ）Ｌ−Ｌ断面図、（ｍ）Ｍ−Ｍ断面図、（ｎ）Ｎ−Ｎ断面図、（ｏ）Ｏ−Ｏ断面図、（ｐ）Ｐ方向の底面図、である。
なお、図１２については、縦框５の部分のみを示している。
図１１及び図１２に示すように、引手溝３０は、平坦な溝の中央付近に複数の凹部が形成された形状となっている。そして、複数の凹部を設けた結果、上端部１及び下端部２における深さが最も浅く、上端部１及び上端部２以外の部分における深さがこれよりも深くなっている。
【００３９】
引手溝３０に形成された複数の凹部は、左傾斜部３１と右傾斜部３２の２種類に分類される。図１２に示すように、引手溝３０の深さについて、左傾斜部３１は左側が深く右側が浅くなっており、右から左へ深くなるように傾斜している。一方、右傾斜部３２は右側が深く左側が浅くなっており、左から右へ深くなるように傾斜している。そして、左傾斜部３１と右傾斜部３２は、引手溝３０の上下方向に交互に形成されている。
なお、図１１に示すように、本実施形態では、左傾斜部３１と右傾斜部３２を上下方向に曲線状に傾斜させている。従って、手指を滑らかに掛けることができるが、これに限らず直線状に傾斜させてもよい。また、図１２に示すように、本実施形態では、左傾斜部３１と右傾斜部３２を水平方向に直線状に傾斜させているが、これに限らず曲線状に傾斜させてもよい。
【００４０】
引戸３００を開閉するに際し、左側に移動させる場合には、左傾斜部３１に手指を掛けて引手溝３０の左側壁面に力を加えて移動させる。反対に右側に移動させる場合には、右傾斜部３２に手指を掛けて引手溝３０の右側壁面に力を加えて移動させる。従って、手指を掛けた部分は、移動方向に向けて下り傾斜していることになる。
そして、移動の最終段階においては、上記実施形態２で説明したのと同様に、引手溝３０に掛けた手指は、引手溝３０に形成された傾斜に沿って、引戸の移動方向とは反対側に押され、引手溝３０から排出されてしまう。これにより、手指が挟まれるのを防止することができる。
【００４１】
以上説明したように、実施形態３に係る引戸３００によれば、引手溝３０において、左側が深く右側が浅い左傾斜部３１と右側が深く左側が浅い右傾斜部３２とを、上下方向に交互に形成したので、引戸３００を左側に移動させる場合には左傾斜部３１に手指を掛けて移動し、引戸３００を右側に移動させる場合には右傾斜部３２に手指を掛けて移動することができる。
また、引戸３００を開ける最終段階で、手指が引手溝３０の傾斜に沿って自動的に排出されて、引戸と壁、あるいは引戸と引戸の間に手や指が挟まれることがない。
【００４２】
なお、上記実施形態１乃至実施形態３においては、引戸の表裏両面に引手溝を設けたが、表面及び裏面のどちらか一方のみに設けてもよい。同様に、引戸の左右両側に引手溝を設けたが、左側及び右側のどちらか一方のみに設けてもよい。
また、基材の両側部に縦框を取り付けた引戸を用いて説明したが、引戸の構成はこれに限定されない。例えば１枚の無垢の板材を用いて、その側面寄りの部位に引手溝を形成するようにしてもよい。要は、板材の表面及び裏面の少なくとも１つにおける側面寄りの部位に引手溝を形成するものであればよい。
また、引手溝の深さを板材の上端部から下端部にかけて変化させ、かつ上端部及び下端部における引手溝の深さを、上端部及び下端部以外の部分における引手溝の深さよりも浅くなるように形成してあれば、上端部から下端部にかけた深さの変化は、上記実施形態に限定されるものではない。
【図面の簡単な説明】
【００４３】
【図１】本発明の実施形態１に係る引戸を示す部分斜視図である。
【図２】図１のＸ−Ｘ断面図である。
【図３】図１の、（ａ）Ａ方向の平面図、（ｂ）Ｂ−Ｂ断面図、（ｃ）Ｃ−Ｃ断面図、（ｄ）Ｄ−Ｄ断面図、（ｅ）Ｅ方向の底面図、である。
【図４】実施形態１に係る引戸の底面図である。
【図５】実施形態１に係る引戸の平面図である。
【図６】本発明の実施形態２に係る引戸を示す部分斜視図である。
【図７】図６の、（ｙ1）Ｙ1−Ｙ1断面図、（ｙ2）Ｙ2−Ｙ2断面図、（ｙ3）Ｙ3−Ｙ3断面図、である。
【図８】図６の、（ｆ）Ｆ方向の平面図、（ｇ）Ｇ−Ｇ断面図、（ｈ）Ｈ−Ｈ断面図、（ｉ）Ｉ−Ｉ断面図、（ｊ）Ｊ方向の底面図、である。
【図９】引戸の開閉時の状態を示す断面図である。
【図１０】本発明の実施形態３に係る引戸を示す部分斜視図である。
【図１１】図１０の、（ｚ1）Ｚ1−Ｚ1断面図、（ｚ2）Ｚ2−Ｚ2断面図、（ｚ3）Ｚ3−Ｚ3断面図、である。
【図１２】図１０の、（ｋ）Ｋ方向の平面図、（ｌ）Ｌ−Ｌ断面図、（ｍ）Ｍ−Ｍ断面図、（ｎ）Ｎ−Ｎ断面図、（ｏ）Ｏ−Ｏ断面図、（ｐ）Ｐ方向の底面図、である。
【図１３】従来例に係る引戸を示す斜視図である。
【図１４】従来例に係る引戸の底面図である。
【図１５】従来例に係る引戸の平面図である。
【符号の説明】
【００４４】
１      上端部
２      下端部
３      中央部
４      基材
５      縦框
６      ランナー
７      戸車
８      壁
１０      引手溝
２０      引手溝
２１      中央部
２２      壁面
３０      引手溝
３１      左傾斜部
３２      右傾斜部
５０      引手溝
６１      調整機構
７１      戸車収容箱
７２      調整機構
１００      引戸
２００      引戸
３００      引戸
５００      引戸
【図１】
2008150925.tif 000003
【図２】
2008150925.tif 000004
【図３】
2008150925.tif 000005
【図４】
2008150925.tif 000006
【図５】
2008150925.tif 000007
【図６】
2008150925.tif 000008
【図７】
2008150925.tif 000009
【図８】
2008150925.tif 000010
【図９】
2008150925.tif 000011
【図１０】
2008150925.tif 000012
【図１１】
2008150925.tif 000013
【図１２】
2008150925.tif 000014
【図１３】
2008150925.tif 000015
【図１４】
2008150925.tif 000016
【図１５】
2008150925.tif 000017